(57)【要約】【課題】  複数の反応液の合流部における副生成物の生成を抑制し、反応収率を高め、生産量の大きい反応器を提供する。【解決手段】  反応器は、異なる２種類の流体５，６を流入させる合流部１と、これら２種類の流体を混合させる混合流路３と、合流部１と混合流路３とを連結する縮流部２と、混合した流体７を反応させる反応流路４とからなる。合流部１の水力等価直径は、混合流路３に比べて大きく、合流部１では、レイノルズ数は２,３００未満で、層流となり、混合流路３では、レイノルズ数は２,３００以上で、乱流となり、反応流路４の水力等価直径は、混合流路３の水力等価直径より大きい。【選択図】        図１
2009000592.tif 000002
【特許請求の範囲】
【請求項１】
複数の異種の流体を合流させる合流部と、合流した複数の流体を混合させる混合流路と、前記合流部と前記混合流路とを連結する縮流部とを有し、複数の異種の流体を反応させる反応器において、
複数の流体が合流する前記合流部が、層流流路であり、
複数の流体が混合する前記混合流路が、乱流流路であることを特徴とする反応器。
【請求項２】
請求項１に記載の反応器において、
前記混合流路の少なくとも一部の内壁面に突起物を形成したことを特徴とする反応器。
【請求項３】
請求項１に記載の反応器において、
前記混合流路の少なくとも一部の内壁面に凹凸表面を形成したことを特徴とする反応器。
【請求項４】
請求項１ないし３のいずれか一項に記載の反応器において、
前記混合流路の幅が、１ｍｍ以上１０ｍｍ未満であることを特徴とする反応器。
【請求項５】
複数の異種の流体を合流させる合流部と、合流した複数の流体を混合させる混合流路と、前記合流部と前記混合流路とを連結する縮流部と、混合した複数の異種の流体を反応させる反応流路とを有し、複数の異種の流体を反応させる反応器において、
複数の流体が合流する前記合流部が、層流流路であり、
複数の流体が混合する前記混合流路が、乱流流路であることを特徴とする反応器。
【請求項６】
請求項５に記載の反応器において、
前記混合流路の少なくとも一部の内壁面に突起物を形成したことを特徴とする反応器。
【請求項７】
請求項６に記載の反応器において、
前記混合流路の少なくとも一部の内壁面に凹凸表面を形成したことを特徴とする反応器。
【請求項８】
請求項５ないし７のいずれか一項に記載の反応器において、
前記混合流路の幅が、１ｍｍ以上１０ｍｍ未満であることを特徴とする反応器。
【請求項９】
請求項５ないし８に記載の反応器において、
前記反応流路の水力等価直径が、前記混合流路の水力等価直径に比べて大きいことを特徴とする反応器。
【請求項１０】
請求項５ないし９に記載の反応器において、
前記反応流路が、複数に分岐していることを特徴とする反応器。
【請求項１１】
請求項１０に記載の反応器において、
複数に分岐した前記反応流路の幅が、１ｍｍ未満であることを特徴とする反応器。
【請求項１２】
請求項１ないし１１のいずれか一項に記載の反応器を含む反応システムにおいて、
前記反応器に熱交換器または熱源を接触させて設置したことを特徴とする反応システム。
【請求項１３】
請求項５ないし１１のいずれか一項に記載の反応器を含む反応システムにおいて、
前記反応流路の断面形状が扁平であり、
扁平な前記反応流路の断面形状の長い面に対向するように前記反応器に熱交換器または熱源を接触させて設置したことを特徴とする反応システム。
【発明の詳細な説明】
【技術分野】
【０００１】
本発明は、化学合成や化学分析などの分野における反応器および反応システムに係り、特に、液体または気体を混合して反応させる流体混合器および反応器の構造に関する。
【背景技術】
【０００２】
近年、化学合成や化学分析の分野において、反応時間短縮および副反応抑制のために、マイクロ加工（MEMS：Micro Electro Mechanical System）技術により製作され、断面寸法が数十〜数百μｍの流路を持つ流体混合器が使用され始めている。
【０００３】
このような流体混合器は、マイクロミキサまたはマイクロリアクタと呼ばれている。マイクロミキサでは、流路の水力等価直径が小さいので、流体の慣性力と粘性力との比を表す無次元数、すなわち、レイノルズ数が小さく、流れは層流となる。したがって、複数の異種の液体を混合する場合、分子拡散により混合が進む（例えば、非特許文献１参照）。
【０００４】
次に、代表的な反応である逐次反応を例にとり、マイクロ流路内での反応について検討する。この反応では、物質ＡとＢとが反応して主生成物Ｒが生成され、
Ａ＋Ｂ→Ｒ  ……（１）
Ｒ＋Ｂ→Ｓ  ……（２）
さらに、主生成物Ｒと物質Ｂとが反応して副生成物Ｓが生じる。
【０００５】
マイクロリアクタでは、お互いに交じり合う２種類の流体を複数に分割して、それぞれの流体を交互にマイクロ流路に流入させ、混合を促進させている。一般に、流れは、層流であるから、２流体は、層状となって流れている。
【０００６】
ここで、２流体のそれぞれの中心線の間隔を拡散距離Ｗと定義し、分子の拡散係数をＤとすると、２流体の混合に必要な時間ｔmは、
ｔm＝Ｗ２／Ｄ  ……(３)
で表される。拡散距離Ｗを小さくするほど、拡散時間が短縮されるので、流体の混合が促進される。
【０００７】
式（１）の主反応，式（２）の副反応の反応速度定数をk１[L／(mol s)]，k２[L／(mol s)]とし、物質ＡおよびＢの濃度を等濃度として反応させる場合の初期濃度をＣ０とすると、生成物Ｒの反応時間ｔrは、
ｔr＝１／(k１・Ｃ０)  ……（４）
で与えられる。
【０００８】
非特許文献１によると、マイクロ流路内での式１および式２に示す逐次反応では、式５に示すように、式３の拡散時間と式４の反応時間との比である混合反応数φが減少するほど、混合時間と比較して反応時間が長い反応律速の状態に近づき、
φ＝ｔm ／ｔr＝k１・Ｃ０・Ｗ２／Ｄ  ……（５）
原料Ａに対する目的物質Ｒの生成量である反応収率は、増大する。
【０００９】
したがって、混合反応数φを小さくして反応収率を高めるには、通常、マイクロリアクタでは、流路幅を小さくしたり、２種類の流体の分割数を増加させたりする。
【００１０】
一般に、マイクロリアクタは、流路幅が１ｍｍ未満であるから、式６で示す水力等価直径ｄhが小さく、流速Ｖが低いので、
ｄh＝４×流路断面積／流路断面の周囲の長さ  ……（６）
式７に示すレイノルズ数Ｒeは、２,３００未満であり、
Ｒe＝Ｖ・ｄh／ν  ……（７）
流れは、層流状態である。ここで、νは、流体の動粘性係数を示す。
【００１１】
Ｒe＞２,３００となる乱流条件では、流れの乱れによる拡散係数（乱流拡散係数）Ｄtは、分子拡散係数Ｄmの数千倍以上に増大する。したがって、ｍｍオーダの流路幅においても乱流条件にすると、混合反応数φは小さくなり、反応収率が高まることを示している。
【００１２】
図９は、従来のＹ字型反応器の一例の構造を示す水平断面図であり、図１０は、従来の多層流型反応器の一例の構造を示す水平断面図である。
【００１３】
図９のＹ字型リアクタでは、式５において、拡散距離Ｗに相当する流路幅をマイクロ化すると、収率を高めることができ、図１０の多層流型リアクタでは、式５において、拡散距離Ｗに相当する２液の間隔をマイクロ化すると、収率を高めることができる。
【００１４】
【非特許文献１】河村ら：化学工学会第３７回秋季大会，Ｉ２０５，(２００５)(第１頁  図２)
【発明の開示】
【発明が解決しようとする課題】
【００１５】
マイクロリアクタを用いて物質を大量生産する場合、リアクタを多数並列化するナンバリングアップと呼ばれる方法が考えられている。
【００１６】
しかし、図９，１０の従来技術では、反応収率を高めるには、拡散距離Ｗを数十μｍにする必要があるので、流路幅は、通常１ｍｍ以下となる。その場合、圧力損失の制限から流路内の流体の流速が小さくなるから、リアクタ１台当たりの物質生産量は、少量となり、ナンバリングアップ数は、数百台以上になると想定される。ナンバリングアップ数の増大に伴い部品点数が増加し、システムの信頼性や堅牢性が課題となる。このような背景から、ナンバリングアップ数を数十台に低減する要求があり、流路内の流れを高速にして乱流状態で流し、混合性を高め、かつ、１台当たりの生産量を増大させる方法が考えられている。
【００１７】
乱流状態にすると、流れの乱れによる拡散係数（乱流拡散係数）Ｄtは、層流状態における分子拡散係数Ｄmの数千倍以上に増大するので、１ｍｍ以上の流路幅でも、式５の混合反応数φを低下させることが可能となり、反応収率を高めることができる。図９に示すＹ字型流路の場合、乱流状態にして反応収率を高めながら流量を増大させることは可能である。Ｙ字型流路よりも流路を大きくして圧力損失を低下させて流量を増大し、かつ、図１０に示すように、流れを多層流にすると、流路が大きくても拡散距離である２液の間隔を小さくして、生産量を更に増大できる。
【００１８】
しかし、図１０に示す多層流型リアクタの場合、２液が流路幅の大きい合流部に乱流状態で流入すると、乱流により２液が混合して反応し始め、反応収率が低下するおそれがある。
【００１９】
また、反応時間の長い物質を生産する場合、高速の乱流状態で流体を流すと、配管長が長くなり、圧力損失が増大する。
【００２０】
さらに、発熱反応の場合、高速で流体を流すと十分な温度制御ができない可能性が生じる。
【００２１】
本発明の課題は、複数の反応液の合流部における副生成物の生成を抑制し、反応収率を高め、生産量の大きい反応器を提供することである。
【００２２】
拡散距離Ｗの大きい合流部での反応を抑制し、拡散距離Ｗの小さい混合流路で混合させた後、反応流路で反応を開始して収率を高めることができる反応器を提供することである。
【００２３】
本発明の課題は、また、高速の乱流状態で流体を流しても圧力損失が増大しない反応器を提供することである。
【００２４】
本発明の課題は、さらに、高速で流体を流しても十分な温度制御が可能な反応システムを提供することである。
【課題を解決するための手段】
【００２５】
本発明は、上記課題を解決するために、複数の異種の流体を合流させる合流部と、合流した複数の流体を混合させる混合流路と、合流部と混合流路とを連結する縮流部とを有し、複数の異種の流体を反応させる反応器において、複数の流体が合流する合流部が、層流流路であり、複数の流体が混合する混合流路が、乱流流路である反応器を提案する。
【００２６】
本発明においては、拡散距離の大きい合流部での反応を抑制し、拡散距離の小さい混合流路で混合させるために、混合流路の少なくとも一部の内壁面に突起物を形成し、または、混合流路の少なくとも一部の内壁面に凹凸表面を形成する。
【００２７】
このような混合流路で反応が完結する場合は、本発明の基本的効果が十分なので、後続の反応流路に特別の工夫は必ずしも必要ではない。
【００２８】
混合した複数の異種の流体を反応させる反応流路を有する場合は、反応流路の水力等価直径を、前記混合流路の水力等価直径に比べて大きくする。反応流路は、複数に分岐させてもよい。
【００２９】
前記反応器に熱交換器または熱源を接触させて設置し、反応システムを構成する。反応流路の断面形状が扁平であれば、扁平な反応流路の断面形状の長い面に対向するように前記反応器に熱交換器または熱源を接触させて設置し、熱交換効率を良くする。
【発明の効果】
【００３０】
本発明によれば、拡散距離の大きい合流部において反応を防止し、拡散距離の小さい混合流路で混合した後に、反応流路で反応を開始させて副反応を抑制し、圧力損失を低減して高流量化するので、高い反応収率で生産量の大きい反応器を提供できる。
【発明を実施するための最良の形態】
【００３１】
本発明では、複数の異種の流体の各々を複数に分流させた後に合流させる合流部と、複数の流体を混合させる混合流路と、合流部と混合流路を連結する縮流部と、混合流路下流の反応流路とを有し、複数の異種の流体を反応させる反応器において、複数の流体が合流する合流部のレイノルズ数が２,３００未満で、層流であり、かつ、複数の流体が混合する縮流部下流の混合流路内のレイノルズ数が２,３００以上で、乱流であり、さらに、混合流路の流路壁面に複数の突起物または凹凸表面を形成した構造を提案する。
【００３２】
このような構造にすると、合流部での副反応が防止され、混合部での混合性能が高まるので、反応収率が高く、生産量の多い製品を生産する反応器を提供できる。
【００３３】
混合部下流の反応流路は、水力等価直径が混合流路の水力等価直径に比べて大きい、または、複数に分岐している構造を提案する。
【００３４】
このような構造にすると、反応部での圧力損失が低減され、高流量化し、生産量を増大できる。
【００３５】
次に、図１〜図８を参照して、本発明による反応器および反応システムの実施例を説明する。
【実施例１】
【００３６】
図１は、本発明による反応器の実施例１の構造を示す水平断面図である。
【００３７】
本実施例１の反応器１６の流路は、異なる２種類の流体５，６を流入させる合流部１と、これら２種類の流体５，６を混合させる混合流路３と、合流部１と混合流路３とを連結する縮流部２と、混合した２流体７を反応させる反応流路４とからなる。
【００３８】
合流部１の水力等価直径ｄhは、混合流路３の水力等価直径ｄhよりも大きいので、合流部１の流速は、混合流路３の流速に比べて低くなる。
【００３９】
本発明においては、与えられた反応器１台当たりの流量に対して、合流部１では、レイノルズ数Ｒeが２,３００未満で、層流条件となり、混合流路３では、レイノルズ数Ｒeが２,３００以上で、乱流条件となるように、それぞれの水力等価直径ｄhが決められている。
【００４０】
縮流部２では、混合部近傍で流速が増加して、レイノルズ数Ｒeが２,３００以上になる領域が発生する。しかし、一般に、縮流構造には整流効果があるので、乱流への遷移は起こりにくい。
【００４１】
以上のような流路構成により、合流部１では、層流状態にあり、２流体の混合が抑制されるので、拡散距離が大きい場合に生じる副生成物が抑制され、混合流路３では、乱流になり、高速混合される。
【００４２】
混合流体７は、混合流路３および反応流路４で反応を開始する。完全に混合した後、拡散距離の大小は無関係になり、反応に必要な滞留時間を確保できればよい。
【００４３】
そこで、本発明では、反応流路４の圧力損失を低減するために、混合流路３の水力等価直径ｄhよりも反応流路４の水力等価直径ｄhを大きくしている。反応流路４での流れは、層流または乱流のどちらでもよい。
【００４４】
本実施例１によれば、反応収率が高く、圧力損失が小さく、高収率で生産性の高い反応器を提供できる。
【実施例２】
【００４５】
図２は、本発明による反応器の実施例２の構造を示す水平断面図である。
【００４６】
本実施例２は、反応流路４の構成以外は、図１の実施例１と同じである。
【００４７】
本実施例２では、混合流路３下流の反応流路４は、複数の流路に分岐され、かつ、複数の反応流路４の全流路断面積は、混合流路３の流路断面積よりも大きいので、反応流路４の流速は、混合流路３の流速よりも低くなる。
【００４８】
その結果、圧力損失を低減できる。また、対象反応が発熱反応のように温度制御を必要とする場合、反応流路４を複数にして全伝熱面積を増大させてあるので、効率的に熱交換できる。
【００４９】
本実施例２によれば、高速混合および精密温度制御により、反応収率を高め、かつ、生産量の大きい反応器を提供できる。
【実施例３】
【００５０】
図３は、本発明による反応器の実施例３の構造を示す水平断面図である。
【００５１】
一般に、縮流部２の上流で層流状態の流れ１１が縮流後に乱流に遷移する場合は、図４に示すように、乱流境界層９が、縮流後の混合流路３の入口８から発達し、混合流路３内は、水力等価直径ｄhの１０倍の助走長さＬdで、完全に乱流となる。すなわち、混合流路入口８から１０ｄhの助走長さＬdの領域においては、混合性が低下している。その結果、混合性が低下し、副生成物の増加および混合流路長の増大により、圧力損失が増加する可能性がある。
【００５２】
これに対して、本実施例３では、円形の混合流路３の入口近傍の壁面に周方向に突起物１４を設置し、突起物１４で生成する乱流渦１０により、助走長さＬdを短縮している。
【００５３】
混合流路３の混合流路形状および突起部形状は、図３の例に限らない。図５は、実施例３における混合流路形状および突起部形状の例を示す図３のＡ−Ａ断面図である。混合流路３の断面は、円形でも矩形でもよく、突起物１４は、混合流路断面の周方向および流れ方向に１ヵ所または複数箇所設置してもよい。
【００５４】
本実施例３によれば、高速混合および圧力損失低減が可能となり、高収率，高生産量の反応器を提供できる。
【実施例４】
【００５５】
図６は、本発明による反応器の実施例４の構造を示す水平断面図である。
【００５６】
本実施例４では、混合流路３全体の内壁面に凹凸表面１５を形成してある。
【００５７】
本実施例４によれば、凹凸表面１５を形成してあるので、平滑な壁面と比較して、助走長さＬdを短縮でき、高速混合および圧力損失低減が可能となり、高収率，高生産量の反応器を実現できる。
【実施例５】
【００５８】
図７は、本発明による反応器の実施例５の構造を示す縦断面図である。
【００５９】
本実施例５は、反応器１６の上下両面に熱交換器または熱源１７を設置して、反応システムを構築してある。これらの熱交換器または熱源１７は、加熱または冷却による温度制御が可能である。反応器１６内の反応流路４の断面形状は、細長い長方形であり、流路の長辺は、流路中心と熱交換器または熱源１７とを最短距離で結ぶ直線に対して直角に設置されている。
【００６０】
本実施例５によれば、反応流路４内の伝熱面積が増加するので、熱交換効率が改善され、精密温度制御により反応収率を高めることが可能となる。
【実施例６】
【００６１】
図８は、本発明による反応器の実施例６の構造を示す縦断面図である。
【００６２】
本実施例６は、反応器１６の上下両面に熱交換器または熱源１７を設置して、反応システムを構築してある。これらの熱交換器または熱源１７は、加熱または冷却による温度制御が可能である。反応器１６内の反応流路４は、複数に分岐されている。
【００６３】
本実施例６によれば、反応流路４内の伝熱面積が更に増加するので、熱交換効率が改善され、精密温度制御により反応収率を更に高めることが可能となる。
【００６４】
このように、本発明の反応器および反応システムによれば、医薬品や化学工業製品などの合成プロセスにおける複数の流体の反応において、反応収率を高め、生産量を増大させることができる。
【図面の簡単な説明】
【００６５】
【図１】本発明による反応器の実施例１の構造を示す水平断面図である。
【図２】本発明による反応器の実施例２の構造を示す水平断面図である。
【図３】本発明による反応器の実施例３における混合流路の構造を示す水平断面図である。
【図４】従来の反応器における混合流路の構造を示す水平断面図である。
【図５】実施例３における混合流路形状および突起部形状の例を示す図３のＡ−Ａ断面図である。
【図６】本発明による反応器の実施例４の構造を示す水平断面図である。
【図７】本発明による反応器の実施例５の構造を示す図１のＢ−Ｂ断面図である。
【図８】本発明による反応器の実施例６の構造を示す図２のＣ−Ｃ断面図である。
【図９】従来のＹ字型反応器の一例の構造を示す水平断面図である。
【図１０】従来の多層流型反応器の一例の構造を示す水平断面図である。
【符号の説明】
【００６６】
１  合流部
２  縮流部
３  混合流路
４  反応流路
５  流体Ａ
６  流体Ｂ
７  混合流
８  混合流路入口
９  乱流境界層
１０  乱流渦
１１  層流の流れ
１２  乱流の流れ
１３  助走長さ
１４  突起
１５  凹凸表面
１６  反応器
１７  熱交換器または熱源
【図１】
2009000592.tif 000003
【図２】
2009000592.tif 000004
【図３】
2009000592.tif 000005
【図４】
2009000592.tif 000006
【図５】
2009000592.tif 000007
【図６】
2009000592.tif 000008
【図７】
2009000592.tif 000009
【図８】
2009000592.tif 000010
【図９】
2009000592.tif 000011
【図１０】
2009000592.tif 000012